(57)【特許請求の範囲】
【請求項１】
表示装置を備える通信端末であって、
発呼のための発呼信号を通信相手の通信端末に送信する送信手段と、
前記送信手段により送信される発呼信号に、前記通信相手の通信端末で表示される表示情報を付加する付加手段と、
前記送信手段により前記発呼信号が送信されると、当該発呼信号に前記付加手段により付加された表示情報を前記表示装置に表示させる表示制御手段と、
前記送信手段による発呼信号の送信に応じて、前記通信相手の通信端末から送信される、当該通信相手の通信端末が当該発呼信号に付加された表示情報を受信した旨の送達通知を受信する受信手段と、を備え、
前記表示制御手段は、前記受信手段により前記送達通知が受信された場合には前記表示装置に当該送達通知に応じた表示をさせ、前記受信手段により前記送達通知が受信されなかった場合には前記表示装置に当該送達通知が受信されなかった場合に応じた表示をさせる、
ことを特徴とする通信端末。
【請求項２】
前記表示制御手段は、前記送信手段によって前記発呼信号が送信されてから予め定められた所定の時間内に、前記受信手段により前記送達通知が受信されなかった場合には前記表示装置に当該送達通知が受信されなかった場合に応じた表示をさせることを特徴とする請求項１に記載の通信端末。
【請求項３】
前記通信相手の通信端末と通信を行うための通信システムは、第３世代移動体通信システムであり、
前記付加手段は、前記表示情報を前記発呼信号におけるロッキングシフトコードセットに含めることにより、前記表示情報を前記発呼信号に付加する、
ことを特徴とする請求項１又は２に記載の通信端末。
【請求項４】
表示装置を備える複数の通信端末と、当該通信端末による通信に対する課金のための課金情報を生成する課金情報生成装置とを含んで構成される通信システムであって、
前記通信端末は、
発呼のための発呼信号を通信相手の通信端末に送信する送信手段と、
前記送信手段により送信される発呼信号に、前記通信相手の通信端末で表示される表示情報を付加する付加手段と、
前記送信手段により前記発呼信号が送信されると、当該発呼信号に前記付加手段により付加された表示情報を前記表示装置に表示させる表示制御手段と、
前記送信手段による発呼信号の送信に応じて、前記通信相手の通信端末から送信される、当該通信相手の通信端末が当該発呼信号に付加された表示情報を受信した旨の送達通知を受信する受信手段と、を備え、
前記表示制御手段は、前記受信手段により前記送達通知が受信された場合には前記表示装置に当該送達通知に応じた表示をさせ、前記受信手段により前記送達通知が受信されなかった場合には前記表示装置に当該送達通知が受信されなかった場合に応じた表示をさせ、
前記課金情報生成装置は、
前記送達通知が前記通信端末に送達されたことを検出して、前記表示情報の送信に係る課金情報を生成する課金情報生成手段を備える通信システム。
【請求項５】
表示装置を備える通信端末における制御方法であって、
発呼のための発呼信号を通信相手の通信端末に送信する送信ステップと、
前記送信ステップにおいて送信される発呼信号に、前記通信相手の通信端末で表示される表示情報を付加する付加ステップと、
前記送信ステップにおいて前記発呼信号が送信されると、当該発呼信号に前記付加ステップにおいて付加された表示情報を前記表示装置に表示させる表示制御ステップと、
前記送信ステップにおける発呼信号の送信に応じて、前記通信相手の通信端末から送信される、当該通信相手の通信端末が当該発呼信号に付加された表示情報を受信した旨の送達通知を受信する受信ステップと、
前記受信ステップにおいて前記送達通知が受信された場合には前記表示装置に当該送達通知に応じた表示をさせ、前記受信ステップにおいて前記送達通知が受信されなかった場合には前記表示装置に当該送達通知が受信されなかった場合に応じた表示をさせるステップと、
を有する制御方法。
【請求項６】
表示装置を備える複数の通信端末と、当該通信端末による通信に対する課金のための課金情報を生成する課金情報生成装置とを含んで構成される通信システムにおける制御方法であって、
前記通信端末が、
発呼のための発呼信号を通信相手の通信端末に送信する送信ステップと、
前記送信ステップにおいて送信される発呼信号に、前記通信相手の通信端末で表示される表示情報を付加する付加ステップと、
前記送信ステップにおいて前記発呼信号が送信されると、当該発呼信号に前記付加ステップにおいて付加された表示情報を前記表示装置に表示させる表示制御手段と、
前記送信ステップにおける発呼信号の送信に応じて、前記通信相手の通信端末から送信される、当該通信相手の通信端末が当該発呼信号に付加された表示情報を受信した旨の送達通知を受信する受信ステップと、
前記受信ステップにおいて前記送達通知が受信された場合には前記表示装置に当該送達通知に応じた表示をさせ、前記受信ステップにおいて前記送達通知が受信されなかった場合には前記表示装置に当該送達通知が受信されなかった場合に応じた表示をさせるステップと、を有し、
前記課金情報生成装置が、
前記送達通知が前記通信端末に送達されたことを検出して、前記表示情報の送信に係る課金情報を生成する課金情報生成ステップと、
を有する制御方法。
【発明の詳細な説明】
【技術分野】
【０００１】
本発明は、通信端末及び通信システム、並びに当該通信端末及び通信システムにおける制御方法に関する。
【背景技術】
【０００２】
従来から、携帯電話等の通信システムにおいて、発呼の際の発呼信号に文字データ等の表示データを付加して、発呼信号を受信した通信端末がその表示データを表示する技術が創案されている（例えば、下記特許文献１参照）。これにより着信側の通信端末のユーザは、呼接続が確立する前に発信側のユーザからの簡単なメッセージを受け取ることができる。
【特許文献１】特開２００３−７８５９２号公報
【発明の開示】
【発明が解決しようとする課題】
【０００３】
しかしながら、上記のシステムでは、着信側の通信端末で表示される表示データがどのようなものであったか、発呼の処理が行われているときに発信側の通信端末のユーザが確認することができない。
【０００４】
本発明は、以上の問題点を解決するためになされたものであり、発信側の通信端末から送信された、発信側の通信端末のユーザから着信側の通信端末のユーザへの発呼時のメッセージを、発信側の通信端末のユーザが発呼時に確認することを可能とし、ユーザの利便性を向上させる通信端末、通信システム及び制御方法を提供することを目的とする。
【課題を解決するための手段】
【０００５】
本発明に係る通信端末は、表示装置を備える通信端末であって、発呼のための発呼信号を通信相手の通信端末に送信する送信手段と、送信手段により送信される発呼信号に、通信相手の通信端末で表示される表示情報を付加する付加手段と、送信手段により発呼信号が送信されると、当該発呼信号に付加手段により付加された表示情報を表示装置に表示させる表示制御手段と、を備えることを特徴とする。
【０００６】
本発明に係る通信端末では、発呼信号が送信されると、通信相手の通信端末で表示される表示情報が自装置においても表示される。本発明に係る通信端末のユーザは、その表示を参照することにより、自端末（発信側の通信端末）から送信された着信側の通信端末のユーザへのメッセージ（表示情報）を、発呼時に確認することができる。これにより、本発明に係る通信端末によれば、ユーザは発呼を行いながらどのようなメッセージを通信相手に送信したか確認できるので、ユーザの利便性を向上させることができる。
【０００７】
通信端末は、送信手段による発呼信号の送信に応じて、通信相手の通信端末から送信される、当該通信相手の通信端末が当該発呼信号に付加された表示情報を受信した旨の送達通知を受信する受信手段を更に備え、表示制御手段は、受信手段により送達通知が受信された場合には表示装置に当該送達通知に応じた表示をさせ、受信手段により送達通知が受信されなかった場合には表示装置に当該送達通知が受信されなかった場合に応じた表示をさせる。また、発信側の通信端末のユーザが、着信側の通信端末において表示情報の表示が行われたか否かを確認することができる。従って、この構成によれば、ユーザの利便性をより向上させることができる。また、表示制御手段は、送信手段によって発呼信号が送信されてから予め定められた所定の時間内に、受信手段により送達通知が受信されなかった場合には表示装置に当該送達通知が受信されなかった場合に応じた表示をさせることとしてもよい。
【０００８】
通信相手の通信端末と通信を行うための通信システムは、第３世代移動体通信システムであり、付加手段は、表示情報を発呼信号におけるロッキングシフトコードセットに含めることにより、表示情報を発呼信号に付加する、ことが望ましい。この構成によれば、第３世代移動体通信システムにおける本発明の実施を、簡易かつ確実に行うことができる。
【０００９】
本発明に係る通信システムは、表示装置を備える複数の通信端末と、当該通信端末による通信に対する課金のための課金情報を生成する課金情報生成装置とを含んで構成される通信システムであって、通信端末は、発呼のための発呼信号を通信相手の通信端末に送信する送信手段と、送信手段により送信される発呼信号に、通信相手の通信端末で表示される表示情報を付加する付加手段と、送信手段により発呼信号が送信されると、当該発呼信号に付加手段により付加された表示情報を表示装置に表示させる表示制御手段と、送信手段による発呼信号の送信に応じて、通信相手の通信端末から送信される、当該通信相手の通信端末が当該発呼信号に付加された表示情報を受信した旨の送達通知を受信する受信手段と、を備え、表示制御手段は、受信手段により送達通知が受信された場合には表示装置に当該送達通知に応じた表示をさせ、受信手段により送達通知が受信されなかった場合には表示装置に当該送達通知が受信されなかった場合に応じた表示をさせ、課金情報生成装置は、送達通知が通信端末に送達されたことを検出して、表示情報の送信に係る課金情報を生成する課金情報生成手段を備えることを特徴とする。本発明に係る通信システムでは、通信端末において、発呼信号が送信されると、通信相手の通信端末で表示される表示情報が自装置においても表示されると共に、当該表示情報の表示情報に係る課金情報が生成される。これにより、本発明に係る通信システムによれば、ユーザの利便性を向上させると共に、そのための表示情報の送信に係る課金も管理を容易にする。
【００１０】
ところで、本発明は、上記のように通信端末及び通信システムの発明として記述できる他に、以下のように当該通信端末又は通信システムにおける制御方法の発明としても記述することができる。これはカテゴリが異なるだけで、実質的に同一の発明であり、同様の作用及び効果を奏する。
【００１１】
本発明に係る制御方法は、表示装置を備える通信端末における制御方法であって、発呼のための発呼信号を通信相手の通信端末に送信する送信ステップと、送信ステップにおいて送信される発呼信号に、通信相手の通信端末で表示される表示情報を付加する付加ステップと、送信ステップにおいて発呼信号が送信されると、当該発呼信号に付加ステップにおいて付加された表示情報を表示装置に表示させる表示制御ステップと、送信ステップにおける発呼信号の送信に応じて、通信相手の通信端末から送信される、当該通信相手の通信端末が当該発呼信号に付加された表示情報を受信した旨の送達通知を受信する受信ステップと、受信ステップにおいて送達通知が受信された場合には表示装置に当該送達通知に応じた表示をさせ、受信ステップにおいて送達通知が受信されなかった場合には表示装置に当該送達通知が受信されなかった場合に応じた表示をさせるステップと、を有することを特徴とする。
【００１２】
本発明に係る制御方法は、表示装置を備える複数の通信端末と、当該通信端末による通信に対する課金のための課金情報を生成する課金情報生成装置とを含んで構成される通信システムにおける制御方法であって、通信端末が、発呼のための発呼信号を通信相手の通信端末に送信する送信ステップと、送信ステップにおいて送信される発呼信号に、通信相手の通信端末で表示される表示情報を付加する付加ステップと、送信ステップにおいて発呼信号が送信されると、当該発呼信号に付加ステップにおいて付加された表示情報を表示装置に表示させる表示制御手段と、送信ステップにおける発呼信号の送信に応じて、通信相手の通信端末から送信される、当該通信相手の通信端末が当該発呼信号に付加された表示情報を受信した旨の送達通知を受信する受信ステップと、受信ステップにおいて送達通知が受信された場合には表示装置に当該送達通知に応じた表示をさせ、受信ステップにおいて送達通知が受信されなかった場合には表示装置に当該送達通知が受信されなかった場合に応じた表示をさせるステップと、を有し、課金情報生成装置が、送達通知が通信端末に送達されたことを検出して、表示情報の送信に係る課金情報を生成する課金情報生成ステップと、を有することを特徴とする。
【発明の効果】
【００１３】
本発明に係るでは、発呼信号が送信されると、通信相手の通信端末で表示される表示情報が自装置においても表示される。ユーザは、その表示を参照することにより、自端末（発信側の通信端末）から送信された着信側の通信端末のユーザへのメッセージ（表示情報）を、発呼時に確認することができる。これにより、本発明によれば、ユーザは発呼を行いながらどのようなメッセージを通信相手に送信したか確認できるので、ユーザの利便性を向上させることができる。
【発明を実施するための最良の形態】
【００１４】
以下、図面とともに本発明に係る通信端末、通信システム及び制御方法の好適な実施形態について詳細に説明する。なお、図面の説明においては同一要素には同一符号を付し、重複する説明を省略する。
【００１５】
図１に本実施形態に係る通信端末１０（通信端末１０ａ，１０ｂの総称）、及び複数の通信端末１０を含む通信システム１の構成を示す。通信システム１は、通信端末１０以外に、通信網２を含んで構成されている。通信網２は、複数の中継機（ＬＭＭＳ）２０（中継機２０ａ，２０ｂの総称）を含んで構成されている。本実施形態では、通信端末１０は移動体通信を行うことができる携帯電話機であり、通信網２は、移動体通信網である。即ち、通信システム１は、移動体通信システムである。通信端末１０各々は、各ユーザにより使用され、別の通信端末１０と通信網２での呼接続を確立することによってユーザ同士が通話を行うことができる。なお、図１では、通信端末１０は２つしか示されていないが、通常、通信システム１には多くの通信端末１０が含まれる。本実施形態においては、通信端末１０ａを発信側の端末（発信端末）、通信端末１０ｂを着信側の端末（着信端末）とする。
【００１６】
発信端末１０ａは、呼接続を行う際に送信する発呼信号に表示情報を含めることができる。発呼信号を受け取った着信端末１０ｂでは、表示情報が表示される。この表示情報に関しては、より詳細に後述する。
【００１７】
通信端末１０は、具体的には、ＣＰＵ（Central Processing Unit）、メモリ、及びアンテナなどの移動体通信用モジュール等により構成されており、それらが動作することにより、以下に説明する通信端末１０の各機能が発揮される。図１に示すように、通信端末１０は、表示装置１１と、呼接続確立部１２と、送信情報設定付加部１３と、表示制御部１４とを備える。なお、着信端末１０ｂにおいては、送信情報設定付加部１３が通信端末１０に必ずしも備えられている必要はない。また、通信端末１０は、それ以外にも携帯電話機としての機能を実現するための各手段を有しているが、それらについては説明を省略する。
【００１８】
表示装置１１は、通信端末１０のおける通信に関する表示等を行う装置である。表示装置１１は、具体的には例えば、液晶ディスプレイ等により実現される。表示装置１１は、表示制御部１４等から制御を受け、また、表示装置１１において表示される情報は、表示制御部１４等の他の構成要素から送信される。
【００１９】
呼接続確立部１２は、通信を行うための呼接続を確立するための機能を担う部分である。具体的には、呼接続確立部１２は、発呼のための発呼信号を通信相手の通信端末１０に送信する送信手段としての機能を含む。また、呼接続確立部１２は、別の通信端末１０から自端末１０に対して送信された発呼信号を受信して、呼接続を確立する呼接続確立手段としての機能をも含む。また、呼接続確立部１２は、自端末１０からの発呼信号の送信に応じて、通信相手の通信端末１０から送信される、当該通信相手の通信端末１０が当該発呼信号に付加された表示情報を受信した旨の送達通知を受信する受信手段としての機能をも含む。
【００２０】
なお、発呼信号は、上述したように（ユーザの操作等により）発呼の要求を行う際に発信端末１０ａから着信端末１０ｂに送信されるものであり、発信端末１０ａ及び着信端末１０ｂの電話番号を示す情報（発信端末１０ａ及び着信端末１０ｂを特定する情報）等が含まれる。
【００２１】
送信情報設定付加部１３は、呼接続確立部１２により送信される発呼信号に、通信相手の通信端末１０で表示される表示情報を付加する付加手段である。表示情報は、発信端末１０ａのユーザが着信端末１０ｂのユーザに対して、電話の目的を通知する、あるいは発信者である自分が誰かであることを知らせること等を目的として用いられる。即ち、表示情報は、発信端末１０ａのユーザが着信端末１０ｂのユーザに対して、発呼時に何らかのメッセージを送りたいときに用いられる。着信端末１０ｂのユーザは、着信端末１０ｂで表示された表示情報を参照して、発呼に対して応答するか否かを判断することができる。
【００２２】
表示情報は、具体的には例えば、文字数が決められた文字データが相当する。このときの文字データに関して、発呼信号における表示情報を含めるフィールド、通信端末１０、及び通信システム１等のスペックに応じて、例えば最大１０文字などと最大の文字数が設定されていてもよい。その場合、その情報は予め送信情報設定付加部１３に記憶されている。
【００２３】
通信システム１が、第３世代移動体通信システムである場合、送信情報設定付加部１３は、表示情報を発呼信号におけるロッキングシフトコードセット（Locking Shift Codeset7）に含めることにより、表示情報を発呼信号に付加することが好ましい。ロッキングシフトコードセットは、第３世代移動体通信システムの標準において、発呼信号のフィールドとして規定されているものである。ロッキングシフトコードセットは、第３世代移動体通信システムの標準では、どのように使用されるか規定されていないので、本実施形態における表示情報を含めることが可能である。
【００２４】
なお、第３世代移動体通信システムでは、表示情報を発呼信号におけるファシリティ（Facility）に含めることもできる。但し、ロッキングシフトコードセットは、情報長が３０オクテットのファシリティに比べ、最大２５５オクテットの情報長を有しているため将来的な拡張性が優れており、また、上述したようにオペレータが自由に使用することができる。このような点から、発呼信号における表示情報を含めるフィールドとして、ロッキングシフトコードセットを用いることが好ましい。
【００２５】
また、送信情報設定付加部１３は、どのような表示情報を発呼信号に付加して、送信するかを設定する設定手段でもある。表示情報の設定は、ユーザの入力等により予め行われる。表示情報は、発呼が行われる際にユーザから入力されてもよいし、発呼信号に付加する表示情報の候補を複数、予め送信情報設定付加部１３に登録させておき、そこからユーザに選択させるようにしておいてもよい。その場合、予め登録できる表示情報の候補の数は、１０以上にするのがよい。送信情報設定付加部１３は、このように設定された送信情報を、発呼時に発呼信号に含める。
【００２６】
表示制御部１４は、表示装置１１に対して表示する情報を送信して、表示の制御を行う機能を担う部分である。具体的には、表示制御部１４は、具体的には、自端末１０の呼接続確立部１２により発呼信号が送信されると、当該発呼信号に送信情報設定付加部１３により付加された表示情報を（自端末１０の）表示装置１１に表示させる表示制御手段としての機能を含む。表示制御部１４は、呼接続確立部１２から発呼信号を送信した旨の通知を受けることにより、発呼信号が送信されたことの検知を行う。また、表示の制御は、呼接続確立部１２から表示情報を受け取り、その表示情報を表示装置１１に送信することにより行われる。また、表示制御部１４は、呼接続確立部１２により送達通知が受信されると、当該発呼信号に表示情報の表示を終了させる制御も行う。またその際、表示制御部１４は、表示装置１１に送達通知に応じた表示を行わせる。この制御も上記の表示の制御と同様に行われる。
【００２７】
更に、表示制御部１４は、呼接続確立部１２により受信された（別の通信端末１０から送信された）発呼信号から、表示情報を読み出して、読み出した表示情報を（自端末１０の）表示装置１１に表示させる表示制御手段としての機能を含む。この表示の制御も、上記の表示の制御と同様に行われる。
【００２８】
以上が、通信端末１０の各機能の構成である。引き続いて、中継機２０を説明する。複数の中継機２０は互いに接続されて通信網２を構成しており、個々の中継機２０は、回線制御等を行う機器等から構成されている。また、中継機２０は、通信端末１０による通信に対する課金のための課金情報を生成する課金情報生成装置でもある。なお、図１では、中継機２０は２つしか示されていないが通常、通信網２は多くの中継機２０から構成されている。ここで、中継機２０ａを、通信網２において発信端末１０ａ側に存在している中継機２０とし、中継機２０ｂを、通信網２において着信端末１０ｂ側に存在している中継機２０とする。図１に示すように、中継機２０は、通信網機能部２１と、課金情報生成部２２とを備える。なお、図１では、着信端末１０ｂ側中継機２０ｂの課金情報生成部２２は、説明上不要であるので示していない。
【００２９】
通信網機能部２１は、発呼信号の送受信等、通信端末１０が通信を行うのに必要な通信網２の機能を担う部分である。課金情報生成部２２は、上述したように表示情報を受信した着信側の通信端末１０から送信される送達通知が、発信側の通信端末１０に送達されたことを検出して、表示情報の送信に係る課金情報を生成する課金情報生成手段である。課金情報生成部２２は、通信網機能部２１により送達通知が送達された際に、通信網機能部２１からその旨の通知を受ける。また、課金情報生成部２２は、その際併せて、通信網機能部２１から課金情報の生成に必要な情報（発信端末１０ａを特定する情報、並びに課金に係るデータ量の情報等）を取得して、発信端末１０ａのユーザに対して、データ量に応じた課金の情報を生成する。
【００３０】
引き続いて、図２のシーケンス図を用いて、本実施形態の動画像符号化装置１００における符号化処理（動画像符号化方法）を説明する。この処理は、発信端末１０ａが、着信端末１０ｂに対して、メッセージ（表示情報）を添えて発呼されるときの処理である。ユーザによる表示情報の設定のための入力等、発呼先である着信端末１０ｂの指定、及び発呼を行うための操作は、既に済んでいるものとする。
【００３１】
まず、発信端末１０ａで、送信情報設定付加部１３が表示情報の設定を行う（Ｓ０１）。この設定は、例えば上述したように、ユーザの入力や選択を受け付けて行われる。具体的に例えば、表示情報として“××（株）長谷川です”といった文字データが設定される。続いて、送信情報設定付加部１３は、発呼信号に設定された表示情報を付加する（Ｓ０２、付加ステップ）。続いて、発信端末１０ａでは、呼接続確立部が、着信端末１０ｂ宛の発呼信号を、通信網２（の発信端末１０ａ側の中継機２０ａ）に送信する（Ｓ０３、送信ステップ）。なお、この送信は、通信網２に含まれる基地局（図示せず）等を介して行われる。
【００３２】
発呼信号が送信されると、発信端末１０ａでは、表示制御部１４が発呼信号に付加された表示情報を、表示装置１１に表示させる。表示装置１１は、表示制御部１４からの制御を受けて表示情報を表示する（Ｓ０４、表示制御ステップ）。そのときの、発信端末１０ａの表示装置１１の表示の例を図３に示す。図３に示すように、表示情報である文字データが、表示装置１１の表示部分の予め定められた所定のエリア３１に表示される。また、図３に示すように、この表示に併せて、着信端末１０ｂのユーザを特定する表示３２を行ってもよい。発信端末１０ａのユーザは、表示された表示情報を参照することにより、着信端末１０ｂにおいて発呼時に表示される表示内容を確認することができる。
【００３３】
発呼信号が送信されると、中継機２０ａでは、通信網機能部２１が発呼信号を受信する。通信網機能部２１は発呼信号に含まれる着信端末１０ｂの電話番号を示す情報等を参照して中継すべき中継機２０ｂを特定し、当該中継機２０ｂに対して、発呼信号に基づく接続要求を送信する（Ｓ０５）。この際、発呼信号に付加された表示情報も併せて送信される。
【００３４】
続いて、中継機２０ｂでは、通信網機能部２１が中継機２０ａからの接続要求を受信する。通信網機能部２１は、受信した接続要求に含まれる着信端末１０ｂの電話番号を示す情報等を参照して着信要求を行うべき着信端末１０ｂを特定し、当該着信端末１０ｂに対して着信要求を送信する（Ｓ０６）。この着信要求は、発信端末１０ａからのものとして送信される。また、この際、発呼信号に付加された表示情報も併せて送信される。また、この送信は、通信網２に含まれる基地局（図示せず）等を介して行われる。
【００３５】
着信要求が送信されると、着信端末１０ｂでは、呼接続確立部１２がその着信要求を受信する。続いて、呼接続確立部１２は着信要求に対する応答を中継機２０ｂに対して行い（Ｓ０７）、着信端末１０ｂに対する呼び出し処理が行えるようにする。
【００３６】
続いて、着信端末１０ｂでは、表示制御部１４が着信要求に含まれる表示情報を呼接続確立部１２から受信して、表示装置１１に表示させる。表示装置１１は、表示制御部１４からの制御を受けて表示情報を表示する（Ｓ０８）。この表示は、呼び出し処理が行われている間、表示される。そのときの、着信端末１０ｂの表示装置１１の表示の例を図４に示す。図４に示すように、表示情報である文字データが、表示装置１１の表示部分の予め定められた所定のエリア４１に表示される。また、図４に示すように、この表示に併せて、発信端末１０ａのユーザを特定する表示４２を行ってもよい。着信端末１０ｂのユーザは、表示された表示情報を参照することにより、発信端末１０ａのユーザからの発呼時のメッセージを確認することができる。なお、着信があった場合、通常、着信端末１０ｂには、着信履歴が記録されるが、この表示情報は必ずしも履歴として記録される必要はない。
【００３７】
続いて、着信端末１０ｂでは、呼接続確立部１２が表示情報を受信した旨の送達通知を、発信端末１０ａに宛てて、通信網２（の着信端末１０ｂ側の中継機２０ｂ）に送信する（Ｓ０９）。
【００３８】
なお、本実施形態では、着信端末１０ｂが表示情報を受信できているが、着信端末１０ｂが表示情報を受信できない場合は、送達通知は送信されない。表示情報を受信できない場合としては、着信端末１０ｂが、発呼信号に付加された表示情報を表示する機能を備えていない場合がある。また、着信端末１０ｂが、発呼信号に付加された表示情報を表示しない設定としている場合がある。また、着信端末１０ｂが圏外等の理由で、発呼信号に基づく着信要求そのものを受信できない場合がある。
【００３９】
送達通知が着信端末１０ｂから送信されると、中継機２０ｂでは、通信網機能部２１が、送達通知を受信して中継機２０ａに送信する（Ｓ１０）。中継機２０ａでは、通信網機能部２１が、当該送達通知を受信して、発信端末１０ａに送信する（Ｓ１１）。
【００４０】
発信端末１０ａでは、呼接続確立部１２が、その送達通知を受信する。送達通知を受信すると、発信端末１０ａでは、表示制御部１４が、表示装置１１に対して、表示情報の表示を終了させ、送達通知に応じた表示を行わせる（Ｓ１２、受信ステップ、表示制御ステップ）。送達通知に応じた表示とは、着信端末１０ｂにおいて、表示情報の表示が行われた旨の表示である。発信端末１０ａのユーザは、その表示を参照して、着信端末１０ｂにおいて表示情報の表示が行われたことを確実に確認することができる。
【００４１】
なお、発信端末１０ａで、送達通知が、発呼信号を送信してから予め定められた所定の時間内に受信できなかった場合は、表示情報は着信端末１０ｂに送達されなかったと判断する。その場合、発信端末１０ａでは、表示制御部１４が表示装置１１に、着信端末１０ｂにおいて表示情報が表示されなった旨の表示を行わせる。この表示は、ピクト表示のような簡易なものでもよい。
【００４２】
以上の処理が終了すると、発信端末１０ａと着信端末１０ｂとの間で呼び出し処理（リングバックトーン）が行われる（Ｓ１３）。その後、発信端末１０ａと着信端末１０ｂとの間で通話が行われる。
【００４３】
その後、発信端末１０ａ側の中継機２０ａでは、課金情報生成部２２が、送達通知が発信端末１０ａに送達されたことを検出して、表示情報の送信に係る課金情報を生成する（Ｓ１４、課金情報生成ステップ）。生成された課金情報に基づいて、発信端末１０ａのユーザに対して課金が行われる。
【００４４】
上述したように、本実施形態では、発信端末１０ａにおいて、発呼信号が送信されると、着信端末１０ｂで表示される表示情報が自装置においても表示される。ユーザは、その表示を参照することにより、発信端末１０ａから送信された着信端末１０ｂのユーザへのメッセージを、発呼時に確認することができる。これにより、本実施形態によれば、ユーザは発呼を行いながらどのようなメッセージを通信相手に送信したか確認できるので、ユーザの利便性を向上させることができる。
【００４５】
また、上述したように、発信端末１０ａにおける表示情報の表示の終了を、送達通知の受信をトリガとして行うこととすれば、表示情報の表示の終了を、ユーザによる通信端末１０の使用上、好ましいタイミングで行うことができる。また、送達通知に応じた表示を行うことによって、発信端末１０ａのユーザが、着信端末１０ｂにおいて表示情報の表示が行われたか否かを確認することができる。これらにより、ユーザの利便性をより向上させることができる。
【００４６】
また、通信システム１が、第３世代移動体通信システムであり、表示情報を発呼信号におけるロッキングシフトコードセットに含めることとすれば、第３世代移動体通信システムにおける本発明の実施を、簡易かつ確実に行うことができる。
【００４７】
また、本実施形態のように、中継機２０ａにおいて、送達通知を発信端末１０ａに送信した後に、課金情報を生成するとすれば、ユーザの利便性を向上させると共に、そのための表示情報の送信に係る課金も管理を容易にする。また、着信端末１０ｂで表示情報の表示が行われた場合のみに課金情報が生成されるので（表示情報の表示が行われない場合、課金は発生しない）、適切な課金を行うことができる。
【００４８】
なお、上記の実施形態は、発信端末１０ａと着信端末１０ｂとの間の呼接続が、ローミングが行われて確立される場合でも、実施可能である。また、テレビ電話のシステムにおいても実施可能である。また、本実施形態では、通信システム１は、移動体通信システムとしたが、それ以外、例えば有線の電話システムでもよい。
【００４９】
また、本実施形態では、表示情報を送信された着信端末１０ｂでは、無条件に表示情報を表示することとしているが、設定により非表示とすることもできる。その場合、発信端末１０ａからの着信要求が、発信端末１０ａの電話番号を表示するものであるか否か、あるいは、着信要求に係る発信端末１０ａが着信端末１０ｂのメモリに記憶されている電話帳に登録されているか否か等に従って、非表示とする設定にすることもできる。
【図面の簡単な説明】
【００５０】
【図１】本発明の実施形態における通信端末及び通信システムの構成を示す図である。
【図２】本発明の実施形態における通信端末及び通信システムで実行される処理（制御方法）を示すシーケンス図である。
【図３】発呼時における発信端末の表示装置での表示を示す図である。
【図４】発呼時における着信端末の表示装置での表示を示す図である。
【符号の説明】
【００５１】
１…通信システム、２…通信網、１０…通信端末（１０ａ…発信端末、１０ｂ…着信端末）、１１…表示装置、１２…呼接続確立部、１３…送信情報設定付加部、１４…表示制御部、２０…中継機、２１…通信網機能部、２２…課金情報生成部。
【図１】
0004503553.tif 000002
【図２】
0004503553.tif 000003
【図３】
0004503553.tif 000004
【図４】
0004503553.tif 000005